(57)【要約】【課題】アイデアを保有しながら、その権利化、商品化のできないでいる考案者と、そのアイデアを欲している企業や個人との双方が、互いにアクセスできるデータベースを設置する。【解決手段】ユーザー端末１，２，３のうち、アイデア保有者のユーザー端末１からアクセスされて応募されたアイデアを登録すると共に、ジャンル別に仕分けて格納されるデータベース手段１１、およびアイデアを欲する企業や個人などからのアイデア閲覧を希望する閲覧希望者のユーザー端末３からネットワーク６を通じてデータベース手段１１にアクセスされたアイデア閲覧要求信号に基づき、閲覧希望するアイデアを検索して閲覧させる閲覧情報検索手段９を備え、この閲覧情報検索手段９により抽出されたアイデア情報をウェブ画面に表示して閲覧しうるようにした。【選択図】　　　図１
2004110724.tif 000002
【特許請求の範囲】
【請求項１】
ユーザー端末と、エンジニアリングを業務とするエンジニアリング会社サイトのウェブサーバとを、ネットワークを通じて送受信可能に接続され、エンジニアリング会社のウェブ画面上におけるエンジニアリングの業務を依頼する要求を受信することにより、当該要求されたエンジニアリング依頼が受注されるネットワークシステムにおいて、上記ユーザー端末のうち、アイデア保有者のユーザー端末からアクセスされて応募されたアイデアを登録すると共に、ジャンル別に仕分けて格納されるデータベース手段、およびアイデアを欲する企業や個人などからのアイデア閲覧を希望する閲覧希望者のユーザー端末から上記ネットワークを通じて上記データベース手段にアクセスされたアイデア閲覧要求信号に基づき、閲覧希望するアイデアを検索して閲覧させる閲覧情報検索手段を備え、同閲覧情報検索手段により抽出されたアイデア情報を上記ウェブ画面に表示して閲覧しうるようにしたことを特徴とする公募アイデア閲覧システム。
【請求項２】
上記請求項１記載の公募アイデア閲覧システムにおいて、上記ウェブ画面に、上記エンジニアリング業務とは別の、明細書作成の相談、出願手続き代行、アイデアに関する先行技術調査、試作品作成、上記アイデア保有者とアイデアの採用を希望する上記アイデア閲覧希望者との間の仲介などの各種関連業務を表示する表示ボタンを設け、この表示ボタンを押すことにより選択された関連業務が受注される関連業務受注手段を備えたことを特徴とする公募アイデア閲覧システム。
【発明の詳細な説明】
【０００１】
【発明の属する技術分野】
本発明は、アイデアを保有するユーザー（以下「考案者」ともいう）と、そのアイデアを欲している企業や個人との双方が、エンジニアリング会社のサイトのウェブサーバにアクセスすることで、公募されてデータベースに記憶されたアイデアに関する情報を閲覧できると共に、エンジニアリング会社は、本来のエンジニアリング業務の他に、公募されるアイデアを中心にして、それに付随するアイデアに関する特許調査、出願手続き代行、仲介などの各種の付帯する業務を受注する機会を増大させるのに好適な公募アイデア閲覧システムに関するものである。
【０００２】
【従来の技術】
着想されたアイデアは、出願して権利化されただけでは価値はなく、それが利用、すなわち実施され、商品化されてこそ価値を有する。無体物であるアイデアの権利化から商品化に至る過程では、アイデアを保有しながら権利化、商品化のできないでいる考案者と、アイデアを欲している企業や個人の双方の利害が合致する場所の提供が必要となる。
【０００３】
従来、考案者は、アイデアを着想するに至ったとき、個人で出願手続きをするか、あるいは弁理士に出願手続き書類の作成を依頼して特許庁に出願し、権利化を図っていた。一方、そのアイデアを商品化することについては、個人的に企業にアイデアや試作品を売り込んだり、企業が公募しているコンテストに応募するなどして行っていた。さらに、企業サイドでは、新規な商品を商品化する場合には、その企業内で創出されたアイデアを開発したり、外部からアイデアを一般公募するなどしていた。
【０００４】
しかしながら、個人である考案者が、明細書を作成するのは専門的知識、経験に乏しい場合には、それを作成するのは困難を伴うのが通常であり、また、弁理士による代行は費用が嵩み、結局、出願して権利化を図るのが容易ではなかった。　また、自己のアイデアを企業に売り込む場合でも、それを受け入れてくれる企業を探すのに多大の労力を要し、しかも、試作品を自己で作成するのも困難であった。さらに、アイデアを公募する企業に公募するといっても、公募する企業自体の数は少なく、自己のアイデアに見合った公募企業そのものを見つけ出す作業には、物理的、経済的にも多くの困難を伴うという問題があった。
さらに、企業内からアイデアを公募する場合には、提案されてくるアイデアの範囲が、自ずと狭く、真にニーズに一致したアイデアの創出に乏しくなるという問題があった。また、企業サイドで、一般からアイデアを募集しようとする場合には、公募する方法に不慣れであったり、あるいは、そのスキーム作りの準備にかなりの手間を要するという問題もあった。
また、企業のホームページで、アイデアを公募するサイトもあるが、それは、その企業と考案者との間のみの送受信システムに過ぎず、公募されたアイデアが、第三者にも閲覧できるシステムでないため、折角のアイデアに関する情報が、当該企業以外に発信される機会がなく、それだけ商品化の機会も低調に成らざるを得ない、といった問題がある。
【０００５】
本発明は、上記問題点に鑑みて工夫されたものであり、考案者と企業などとの双方がアクセスできるデータベースを、エンジニアリング会社のサイトに設置することで、公募されるアイデアの閲覧、権利化、商品化、さらには、サイトへのアクセス数を増大させることによるエンジニアリング会社の広告宣伝効果を高め、ひいては本来的なエンジニアリング業務の他に、アイデア公募に付随して特許調査、出願代行、アイデア契約仲介など、種々の業務を受注する公募アイデア閲覧システムを提供することを目的とする。
【０００６】
【課題を解決するための手段】
上記目的を達成するために、本発明においては、次のような構成を有する。すなわち、請求項１記載の発明に係る公募アイデア閲覧システムは、ユーザー端末と、エンジニアリングを業務とするエンジニアリング会社サイトのウェブサーバとを、ネットワークを通じて送受信可能に接続され、エンジニアリング会社のウェブ画面上におけるエンジニアリングの業務を依頼する要求を受信することにより、当該要求されたエンジニアリング依頼が受注されるネットワークシステムにおいて、上記ユーザー端末のうち、アイデア保有者のユーザー端末からアクセスされて応募されたアイデアを登録すると共に、ジャンル別に仕分けて格納されるデータベース手段、およびアイデアを欲する企業や個人などからのアイデア閲覧を希望する閲覧希望者のユーザー端末から上記ネットワークを通じて上記データベース手段にアクセスされたアイデア閲覧要求信号に基づき、閲覧希望するアイデアを検索して閲覧させる閲覧情報検索手段を備え、同閲覧情報検索手段により抽出されたアイデア情報を上記ウェブ画面に表示して閲覧しうるようにしたことを特徴とする。
【０００７】
請求項１記載の発明に係る公募アイデア閲覧システムによれば、エンジニアリング会社サイトに設置されたデータベース手段に、アイデア保有者だけでなく、アイデアを欲する閲覧希望者もアクセスすることで、閲覧希望者からの閲覧希望要求信号に応じて、閲覧情報検索手段により選択的にデータベース手段から対応するアイデアに関する情報を、ネットワークに接続される閲覧希望者の端末画面に表示される。このため、閲覧希望者は、ウェブ画面に表示されているアイデアを閲覧検討することにより、そのアイデアが自己の欲するアイデアであるかどうかを判断することが可能となる。こうして、エンジニアリング会社のホームページへのアクセス件数が増加することで、付随的にエンジニアリング会社の本来的なエンジニアリング業務に関するホームページへのアクセス件数も増加することともなり、相乗効果により業務の受注件数増大、エンジニアリング会社のコマーシャルに寄与しうる。
【０００８】
請求項２記載の発明は、上記請求項１記載の公募アイデア閲覧システムにおいて、上記ウェブ画面に、上記エンジニアリング業務とは別の、明細書作成の相談、出願手続き代行、アイデアに関する先行技術調査、試作品作成、上記アイデア保有者とアイデアの採用を希望する上記アイデア閲覧希望者との間の仲介などの各種関連業務を表示する表示ボタンを設け、この表示ボタンを押すことにより選択された関連業務が受注される関連業務受注手段を備えたことを特徴とする。
この請求項２記載の発明によれば、エンジニアリング会社に対して公募されるアイデアに付随して、アイデア保有者またはアイデア閲覧希望者のいずれかから、表示ボタンが押されることにより、関連業務受注手段が関連する業務を受注することが可能となり、業務拡大化に貢献しうる。
【０００９】
【発明の実施の形態】
以下において、本発明の実施の形態に係る公募アイデア閲覧システムを、図１〜図８に基づいて詳述する。
図１は、公募アイデア閲覧システム構成図で、エンジニアリング会社の運営するホームページ上に、アイデアを公募し、公募したアイデアを閲覧させるアイデア商店のシステムに関するデータベース手段を組み込んだものである。エンジニアリング会社ですでに運営されているホームページに掲載されている業務には、例えば、自動車の設計・製造、生産設備の設計・製造、試験・評価、コンピュータ解析、部品・用品などといった各種のものが含まれている。この公募アイデア閲覧システムは、ユーザー端末１，２，３と、エンジニアリング会社が運営するサイト４のウェブサーバ５とを、インターネットなどのネットワーク６を介して送受信できるように接続されている。ユーザー端末１、２，３からウェブサーバ５にアクセスすると、図２に示されるようなウェブ画面（ホームページ）のトップページ７が画面表示される。ユーザー端末１は、アイデアを保有する考案者の端末、ユーザー端末２は、エンジニアリング会社サイト４のウェブサーバ５にアクセスしてアイデアを欲する企業や個人のアイデア閲覧を希望する閲覧希望者の端末（以下「閲覧者端末」ともいう）、またユーザー端末３は、例えばアイデア保有者との間で仲介を依頼するときに使用するアイデア採用企業などの端末である。
【００１０】
他方、エンジニアリング会社サイト４には、本来的業務を受注するように設けられた「技術商店」（登録商標）のデータベース１０（以下「ＤＢ」ともいう）、アイデアに関する閲覧情報検索処理手段としての処理部９，この閲覧情報検索処理部９に接続される「アイデア商店データベース手段」１１、この公募アイデア閲覧システムに付随する関連業務受注手段１２が設けられている。
アイデア商店データベース手段１１は、ユーザー端末１，２，３のうち、アイデア保有者端末１からアクセスされて応募されたアイデアを技術ジャンル別に登録して記録するものであって、例えばアイデア登録ＤＢ１１ａ、未出願ＤＢ１１ｂ、未公開ＤＢ１１ｃ、および公開出願ＤＢ１１ｄからなる。アイデア登録ＤＢ１１ａには、アイデア保有者からアイデアの登録を希望する旨の要求があった場合に、アイデアに関する後述する必要的事項や技術要約文が記録され、未出願ＤＢ１１ｂには、アイデア登録要求のあったアイデアが、出願されていない状態にある場合におけるアイデアに関するデータが記録され、未公開ＤＢ１１ｃには出願はされているが、未だ公開公報あるいは掲載公報が発行されていない状態にある場合におけるアイデアに関するデータがそれぞれ記録されるものである。
【００１１】
閲覧情報検索処理部９は、閲覧者端末２からネットワーク６を通じてデータベース手段１１にアクセスされたアイデア要求信号に基づき、閲覧を希望するアイデアに関するデータ（情報）だけを選択して閲覧可能に処理するものである。
こうして、アイデア保有者端末１からウェブサーバ５にアクセスすることで、アイデア登録ＤＢ１１ａへ、自己のアイデアの登録が可能となり、登録されたアイデアは、未出願状態であるか、出願はしたが未公開状態にあるか、あるいは公開された状態にあるか、によりいずれかのＤＢ１１ｂ〜１１ｄに記録される。また、閲覧者端末２からウェブサーバ５にアクセスすることで、好ましくは、公開されて秘密状態を脱した状態にある公開出願ＤＢ１１ｄの中のデータから、閲覧情報検索処理部９により閲覧要求された要求信号に応じたアイデアが選択されて閲覧可能となる。さらに、アイデア採用企業などの端末３からアクセスすると、関連業務受注手段１２により、エンジニアリング会社に仲介が依頼可能となったり、アイデア保有者端末１などから、アイデアの先願調査、試作依頼などの関連業務依頼が可能となる。
【００１２】
次に、各端末１，２，３からウェブサーバ５にアクセルすることにより、ウェブ画面に表示されるホームページの構成を説明する。図２に示されるように、トップページ７には、例えば「トピックス」ボタン７ａ、「会社概要」ボタン７ｂ、「営業案内」ボタン７ｃ、「展示会情報」ボタン７ｄ、「新着情報」ボタン７ｅなどの在来のコンテンツの他に、本実施の形態に特徴的な「アイデア商店」ボタン７ｆが設けられている。
営業案内ボタン７ｃをクリックすることで、例えば、自動車の設計・製造、生産設備の設計・製造、試験・評価、コンピュータ解析、部品・用品、特許調査・分析（後述するアイデア商店の特許調査とは別のもの）などといった各種の通常業務を表示した画面（図示しない）が表示される。　アイデア商店ボタン７ｆをクリックすると、図３に示されるように、アイデア商店が行う業務を、一覧表示した「依頼要求項目」に関するページ８が画面表示される。ここには、例えば「アイデアの登録」、「明細書作成のための相談」、「アイデアの出願手続代行申請」、「アイデアの先願調査」、「試作品の作成依頼」、「アイデアの閲覧」、「アイデア登録者との仲介」、「アイデアに関する技術相談」の各種の依頼要求項目のボタンが設定されている。
【００１３】
アクセスしたユーザーが、「アイデアの登録」をクリックすると、図４に示す登録画面１３が表示される。この登録画面の構成は、例えば、「アイデアの内容」、「技術分野」、「メールアドレス」などを書き込みする欄１３ａ、１３ｂ、１３ｃ、登録を希望するアイデアが、出願されているか、未出願の状態にあるかを記入する欄１３ｄ、１３ｅ、公開閲覧を希望するかどうかを記入する欄１３ｆ、１３ｇが設定されている。未出願状態、あるいは未公開状態にあっても、個別の契約条項により、たとえ未公開、秘密状態にあっても公開を希望する考案者に対処するようにできるが、本実施の形態では、考案者との間に無用の混乱が生じるのを未然に回避する観点から、原則として公開された状態にあるアイデアを閲覧することが望ましい。
【００１４】
次に、図５において、本実施の形態における、アイデア登録の手順を説明する。アイデア保有者がその端末１（パーソナルコンピュータ）からエンジニアリング会社サイト４のウェブサーバ５にアクセス（ステップＳ１）すると、アイデア商店サイト（エンジニアリング会社のサイト）からトップページ７（図２参照）が送信される（ステップＳ２）。トップページ７を受信したアイデア保有者端末１の画面上で、アイデア商店ボタン７ｄをクリックし、アイデア商店の画面８（図３参照）を表示する。同画面８上に表示された「アイデアの登録」をクリックすると（ステップＳ３）、図４に示されるアイデアの登録画面１３が表示される（ステップＳ４）。「アイデアの内容」、「技術分野」、「メールアドレス」などを書き込みする各欄１３ａ、１３ｂ、１３ｃ、登録を希望するアイデアが、出願されているか、未出願の状態にあるかを記入する欄１３ｄ、１３ｅ、および公開閲覧を希望するかどうかを記入する欄１３ｆ、１３ｇ等に必須アイテム（事項）を書き込みむ（ステップＳ５）。書き込まれた必須事項は、アイデア登録ＤＢ１１ａ（図１参照）に格納される（ステップＳ６）。公募されてきたアイデアが、出願されている状態のものであるかどうか、公開された状態にあるかどうかを、さらには、アイデアがどのような技術ジャンルに属するかどうかを、アイデア状況判断手段（図示しない）により判断される。
【００１５】
そして、アイデア状況判断手段により、未出願か否かが判断され（ステップＳ７）、未出願状態にある場合には未出願ＤＢ１１ｂにそのアイデア情報がジャンル別に仕分けられて記録される（ステップＳ８）。また、ステップＳ７で、出願状態にあると判断された場合には、ステップＳ９において、出願公開公報や掲載公報で公開されたか否かが判断される。もしも、未公開状態にある場合には、その公募されてきたアイデア情報は、技術ジャンル別に仕分けられて未公開出願ＤＢ１１ｃに登録される（ステップＳ１０）。ステップＳ９において、公開された状態にあると判断されると、公開出願ＤＢ１１ｄにアイデア情報が技術ジャンル毎に記憶される（ステップＳ１１）。
また、登録を希望するアイデアについては、アイデア情報が記録される際に、作成されたアイデアの要約版も同時に技術ジャンル毎に登録されるようにする。
こうして、所定のＤＢにアイデア情報が登録されると、その事実が、考案者に連絡される（ステップＳ１２）。
【００１６】
次に、図６において、公募されてきたアイデアを閲覧する流れを説明する。閲覧者がその端末２により、アイデア商店サイト（エンジニアリング会社サイトでもある）のウェブサーバ５にアクセスすると（ステップＭ１）、図２に示すホームページのトップページ７が画面表示される（ステップＭ２）。トップページで７上で、アイデア商店のボタン７ｄをクリックして、図３のアイデア商店のページ８を表示させ、「アイデアの閲覧」をクリックする（ステップＭ３）。ステップＭ４において、表示されたアイデアの閲覧画面（図示はしない）上で、例えば、閲覧希望する技術ジャンル、閲覧する公募アイデアを特定する閲覧情報を入力するアイデア入力画面が送信される（ステップＭ４）。ステップＭ５で、アイデア入力画面に所定の閲覧情報が入力されると、閲覧画面が送信される（ステップＭ６）。この閲覧画面は、閲覧者端末２で表示され、公募されたアイデアを閲覧することができる（ステップＭ７）。このとき、アイデアの閲覧アクセス数は、カウントされ（ステップＭ８）、エンジニアリング会社サイトないしはアイデア商店を訪問（アクセス）する数の管理が行われる。
こうして、閲覧者端末２からネットワーク６を通じて容易に公募されたアイデアの閲覧が可能となる。
【００１７】
次に、図７に示す依頼要求項目の手順を説明する。なお、「依頼要求項目」とは、図３に示される依頼項目のうち、「アイデアの登録」、「アイデアの閲覧」、および「アイデア登録者との仲介」を除いた残りの項目である業務を実行する場合をいうものとする。また、図７においては、依頼要求項目を一括して示して説明するものであり、アイデア保有者（考案者）の公募したアイデアが、未出願、公開前、公開後の３つの場合分けをして示したものである。これは、未出願の場合には、他の２つの場合と異なり、「明細書作成相談」や「出願手続代行」といった特別に必要となる依頼要求項目があるからである。したがって、アイデア保有者が自己の創案したアイデアについて、「明細書作成のための相談」、「アイデアの出願手続代行申請」、「アイデアの先願、先行技術調査」、「試作品の作成依頼」、「アイデアに関する技術相談」などをエンジニアリング会社に依頼要求すると、その信号を受けた関連業務受注手段１２を介して、アイデア商店において、要求されてきた業務が遂行されていくこととなる。
【００１８】
すなわち、図７のステップＮ１において、アイデア保有者端末１からエンジニアリング会社サイト４にアクセスして表示される画面上で、図２に示す「アイデア商店」ボタン７ｄをクリックすると、図３に示される依頼要求項目一覧画面８が表示される（ステップＮ２）。同一覧画面８上で、自己の希望する要求項目を選択して送信すると（ステップＮ３）、それを受信したことをアイデア商店サイトから通知される（ステップＮ４）。
【００１９】
アイデア商品サイトでは、依頼要求項目に応じて業務を実行（遂行）していくことになる。すなわち、自己の応募したアイデアが、未出願状態にある場合には、ステップＮ５，ステップＮ６を経て、また出願は済ませているが、公開前にある状態の場合、および出願も公開も済んでる状態にある場合には、ステップＮ７やステップＮ８からステップＮ９を経て、それぞれ業務が遂行されていく。明細書作成相談、出願代行、先行技術調査、試作など、いずれの業務も、人手によって行われる業務であり、それが遂行された結果（成果）は、直接に依頼人であるアイデア保有者に手渡されたり、郵送されたりすることとなる。そして、その業務実施結果は、適宜データベースにも記録される（ステップＮ１０）。
【００２０】
次に、図８において、アイデア仲介の流れを説明する。すなわち、アイデアを閲覧し、採用を希望する企業（または、個人）が、アイデア登録者（考案者）との間の仲介をアイデア商店に依頼する場合には、その端末３からアイデア商店サイトにアクセスする（ステップＰ１）。図２のトップページ７が表示され（ステップＰ２）、アイデア商店のボタン７ｄをクリックして、図３の依頼要求項目一覧画面８を開き、その画面８上において「アイデア登録者との仲介」を選択してクリックする（ステップＰ３）。すると、仲介画面が送信される（ステップＰ４）。この仲介画面は、図示はしないが、例えば、交渉日時、仲介対象アイデア、仲介依頼人の名称、氏名、電子メールアドレス、仲介対象となるアイデアの特定等々の必須記載事項を記入するように形成されている。所定の必須記載事項を記入したあと（ステップＰ５）、仲介依頼要求画面をアイデア商店に送信する（ステップＰ６）。アイデア商店では、依頼を受けたことを登録し（ステップＰ７）、仲介依頼を受けたことを確認すると共に、仲介交渉のスケジュールなどを記載した電子メールが送信される（ステップＰ８）。
こうして、アイデア商店は、アイデアの採用を希望する企業と、そのアイデアを登録している考案者との間を仲介する業務を行うことが可能となる。
【００２１】
なお、本実施の形態においては、アイデアの登録、明細書作成のための相談、アイデアに関する先願、先行技術調査、試作品の作成、仲介等々の各業務を、有料制、すなわち課金制を採用するように形成されるのは勿論である。
【００２２】
上記したように、本実施の形態によれば、エンジニアリング会社サイト４のホームページ上に、新たに「アイデア商店」というコンテンツを設け、これに応じて公募されてくるアイデアに関するデータベース手段１１を設置したことにより、
エンジニアリング会社サイト４へのアクセス件数が格段に増大し、同時に「アイデア商店」へのアクセス件数も増える。このため、エンジニアリング会社の各種の技術サービス業務をネットワーク６を通じて広告宣伝することが可能となり、公募アイデアを媒介にして関連業務の受注（外販）が増加し、ひいてはエンジニアリング会社本来の業務拡大に寄与しうる効果を有する。
また、アイデア保有者（考案者）側にとっては、自己のアイデアの権利化、商品化が容易となる場を享受できるメリットがある。
【００２３】
【発明の効果】
請求項１記載の発明は、ユーザー端末と、エンジニアリングを業務とするエンジニアリング会社サイトのウェブサーバとを、ネットワークを通じて送受信可能に接続され、エンジニアリング会社のウェブ画面上におけるエンジニアリングの業務を依頼する要求を受信することにより、当該要求されたエンジニアリング依頼が受注されるネットワークシステムにおいて、上記ユーザー端末のうち、アイデア保有者のユーザー端末からアクセスされて応募されたアイデアを登録すると共に、ジャンル別に仕分けて格納されるデータベース手段、およびアイデアを欲する企業や個人などからのアイデア閲覧を希望する閲覧希望者のユーザー端末から上記ネットワークを通じて上記データベース手段にアクセスされたアイデア閲覧要求信号に基づき、閲覧希望するアイデアを検索して閲覧させる閲覧情報検索手段を備え、同閲覧情報検索手段により抽出されたアイデア情報を上記ウェブ画面に表示して閲覧しうる構成を有する。
【００２４】
請求項１記載の発明は、上記構成を有するため、エンジニアリング会社サイトに設置されたデータベース手段に、アイデア保有者だけでなく、アイデアを欲する閲覧希望者もアクセスすることで、閲覧希望者からの閲覧希望要求信号に応じて、閲覧情報検索手段により選択的にデータベース手段から対応するアイデアに関する情報を、ネットワークに接続される閲覧希望者の端末画面に表示される。このため、閲覧希望者は、ウェブ画面に表示されているアイデアを閲覧検討することにより、そのアイデアが自己の欲するアイデアであるかどうかを判断することが可能となる。したがって、エンジニアリング会社の公募アイデアに関するコンテンツに対するアクセス件数が増加するだけでなく、付随してエンジニアリング会社のホームページへのアクセス件数も増加することとなり、エンジニアリング会社の本来的業務の宣伝効果が高まる。このため、公募アイデア閲覧システムを媒介として、エンジニアリング会社の本来的業務に加えて、公募アイデアに関する業務の受注件数増大に寄与しうる効果を奏する。
【００２５】
また、請求項２記載の発明は、上記請求項１記載の公募アイデア閲覧システムにおいて、上記ウェブ画面に、上記エンジニアリング業務とは別の、明細書作成の相談、出願手続き代行、アイデアに関する先行技術調査、試作品作成、上記アイデア保有者とアイデアの採用を希望する上記アイデア閲覧希望者との間の仲介などの各種関連業務を表示する表示ボタンを設け、この表示ボタンを押すことにより選択された関連業務が受注される関連業務受注手段を備えた構成である。
この請求項２記載の発明によれば、エンジニアリング会社に対して公募されるアイデアに付随して、アイデア保有者またはアイデア閲覧希望者のいずれかから、表示ボタンが押されることにより、関連業務受注手段が関連する業務を受注することが可能となり、業務拡大化に貢献できる効果を奏する。
【図面の簡単な説明】
【図１】本発明の実施の形態に係る公募アイデア閲覧システム構成図である。
【図２】エンジニアリング会社のホームページのトップページを示すウェブ画面である。
【図３】アイデア商店の依頼要求項目一覧を示す画面である。
【図４】公募アイデアを登録する画面を示したアイデアの登録画面である。
【図５】アイデア登録の手順を示すフローチャートである。
【図６】アイデア閲覧の手順を示すフローチャートである。
【図７】依頼要求項目を実行する手順を示すフローチャートである。
【図８】アイデア仲介の手順を示すフローチャートである。
【符号の説明】
１…アイデア保有者端末
２…閲覧者端末
３…アイデア採用企業端末
４…エンジニアリング会社サイト
５…ウェブサーバー
６…ネットワーク
７…ホームページのトップページ
８…アイデア商店の依頼要求項目一覧表示画面
９…閲覧情報検索処理部９
１０…技術商店（登録商標）データベース
１１…アイデア商店データベース手段
１１ａ…アイデア登録データベース
１１ｂ…未出願データベース
１１ｃ…未公開出願データベース
１１ｄ…公開出願データベース
１２…関連業務受注手段
【図１】
2004110724.tif 000003
【図２】
2004110724.tif 000004
【図３】
2004110724.tif 000005
【図４】
2004110724.tif 000006
【図５】
2004110724.tif 000007
【図６】
2004110724.tif 000008
【図７】
2004110724.tif 000009
【図８】
2004110724.tif 000010